(57)【要約】【課題】不注意等による機密情報の出力を禁止しつつ、機密情報の出力を指示するユーザが所望する部分的な機密情報の出力を可能とする。【解決手段】複合機１００は、取得された原稿の種別を検知する種別検知手段２６０と、取得された原稿の画像データにユーザの指示に基づいた加工を施す加工手段２７０と、検知された原稿の種別が所定の種別である場合には、加工手段２７０を起動させる制御手段２５０とを備える。【選択図】図２
2011061744.tif 000002
【特許請求の範囲】
【請求項１】
ユーザの指示に応じて原稿の画像データを取得し、取得された前記画像データを加工して出力する画像処理装置であって、
前記原稿の種別を検知する種別検知手段と、
取得された前記画像データに前記ユーザの指示に基づいた加工を施す加工手段と、
検知された前記原稿の種別が所定の種別である場合には、前記加工手段を起動させる制御手段と、
を備えたことを特徴とする画像処理装置。
【請求項２】
前記制御手段は、前記加工手段を起動させることにより前記加工の内容を指示するためのメニューを表示手段に表示させることを特徴とする請求項１に記載の画像処理装置。
【請求項３】
前記制御手段は、前記メニューと共に、取得された前記画像データを前記表示手段に表示させることを特徴とする請求項２に記載の画像処理装置。
【請求項４】
前記制御手段は、前記メニューと共に、取得された前記画像データと前記加工の内容が反映された画像データとを前記表示手段に表示させることを特徴とする請求項２又は３に記載の画像処理装置。
【請求項５】
情報漏洩を防止するための第１のモードと、該第１のモードとは異なる第２のモードとを切り替えるモード切替手段を備え、
前記制御手段は、前記第１のモードである場合に、前記加工手段を起動させることを特徴とする請求項１乃至４のいずれか一項に記載の画像処理装置。
【請求項６】
前記種別検知手段は、前記第１のモードの場合にのみ、原稿の種別を検知することを特徴とする請求項５に記載の画像処理装置。
【請求項７】
取得された前記画像データに含まれる所定のキーを認識するキー認識手段を備え、
前記種別検知手段は、キーと原稿の種別とを関連づけて格納する格納部から、前記キー認識手段で認識されたキーに関連づけられている原稿の種別を検知結果とすることを特徴とする請求項１乃至６のいずれか一項に記載の画像処理装置。
【請求項８】
ユーザの指示に応じて原稿の画像データを取得し、取得された前記画像データを加工して出力するコンピュータに、
前記原稿の種別を検知する種別検知ステップと、
検知された前記原稿の種別が所定の種別である場合に、取得された前記画像データに加工を施すためのメニューを表示手段に表示させる表示ステップと、
表示された前記メニューに基づいて入力された前記ユーザの指示に応じた加工を、前記画像データに施す加工ステップと、
を実行させることを特徴とするプログラム。
【請求項９】
前記表示ステップは、前記メニューとともに、前記原稿の画像データを表示させるステップであることを特徴とする請求項８に記載のプログラム。
【請求項１０】
前記表示ステップは、前記メニューとともに、取得された前記画像データと加工が施された画像データとを表示させるステップであることを特徴とする請求項９に記載のプログラム。
【請求項１１】
情報漏洩を防止するための第１のモードと、該第１のモードとは異なる第２のモードとを切り替えるモード切替ステップを実行させ、
前記表示ステップは、前記第１のモードである場合に、前記メニューを表示させるステップであることを特徴とする請求項８乃至１０のいずれか一項に記載のプログラム。
【請求項１２】
前記種別検知ステップは、前記第１のモードの場合にのみ、原稿の種別を検知するステップであることを特徴とする請求項１１に記載のプログラム。
【請求項１３】
取得された前記画像データに含まれる所定のキーを認識するキー認識ステップを実行させ、
前記種別検知ステップは、キーと原稿の種別とを関連づけて格納する格納部から、前記キー認識ステップで認識されたキーに関連づけられている原稿の種別を検知結果とするステップであることを特徴とする請求項８乃至１２のいずれか一項に記載のプログラム。
【発明の詳細な説明】
【技術分野】
【０００１】
本発明は、画像処理装置及びプログラムに関する。
【背景技術】
【０００２】
近年、個人情報や企業情報などの外部への漏洩を防止すべき機密情報の保護が重要な課題となっており、コピー機能やプリント機能を搭載した複合機などの画像処理装置においては、出力する原稿に機密情報が含まれないように加工して、保護すべき情報の漏洩防止を図るものがある。
【０００３】
特許文献１には、機密情報の漏洩防止を目的として、ドットパターン等で構成された複写禁止を意味する所定パターンを、機密情報が含まれる原稿（以下、「機密原稿」と呼ぶ）に付加することにより、機密原稿の複写防止を図り、機密情報の漏洩防止を図る手法が提案されている。
【０００４】
ここで、特許文献１で提案された手法では、機密原稿の全面を塗りつぶす、または機密情報を形成した原稿の出力を停止させるため、情報の複写を部分的に防止することができなかった。そこで、特許文献２では、機密原稿の複写を禁止すべき位置にパターンを付加することで、部分的な複写の禁止を実現している。
【発明の概要】
【発明が解決しようとする課題】
【０００５】
ところで、特許文献２で提案されている手法では、複写を禁止すべき位置がドットパターンにより予め設定されている。したがって、機密原稿の作成者の意図が反映された部分的な複写禁止が可能であり、複写を指示するユーザの不注意により機密原稿が複写されることを防止可能である一方、複写を指示するユーザの意図が反映された部分的な複写禁止とはならないという問題があった。例えば、入力された原稿が機密原稿である場合は、内容を特定できない程度の情報を開示するように調整するなど、機密情報を含まないようにユーザが加工を指示することができず、ユーザの意図を反映させることができなかった。
【０００６】
そこで、本発明は、上記に鑑みてされたものであって、不注意等による機密情報の出力を禁止しつつ、機密情報の出力を指示するユーザが所望する部分的な機密情報の出力を可能とする画像処理装置及びプログラムを提供することを目的とする。
【課題を解決するための手段】
【０００７】
上述した課題を解決し、目的を達成するために、本発明は、ユーザの指示に応じて原稿の画像データを取得し、取得された前記画像データを加工して出力する画像処理装置であって、前記原稿の種別を検知する種別検知手段と、取得された前記画像データに前記ユーザの指示に基づいた加工を施す加工手段と、検知された前記原稿の種別が所定の種別である場合には、前記加工手段を起動させる制御手段と、を備えたことを特徴とする。
【０００８】
また、本発明は、ユーザの指示に応じて原稿の画像データを取得し、取得された前記画像データを加工して出力するコンピュータに、前記原稿の種別を検知する種別検知ステップと、検知された前記原稿の種別が所定の種別である場合に、取得された前記画像データに加工を施すためのメニューを表示手段に表示させる表示ステップと、表示された前記メニューに基づいて入力された前記ユーザの指示に応じた加工を、前記画像データに施す加工ステップと、を実行させることを特徴とするプログラムである。
【発明の効果】
【０００９】
本発明によれば、不注意等による機密情報の出力を禁止しつつ、機密情報の出力を指示するユーザが所望する部分的な機密情報の出力を可能とする、という効果を奏する。
【図面の簡単な説明】
【００１０】
【図１】図１は、第１の実施形態にかかる複合機のハードウエア構成を示す図である。
【図２】図２は、第１の実施形態にかかる複合機の機能ブロック図である。
【図３】図３は、格納手段が格納している種別検知用データを例示する図である。
【図４】図４は、表示制御手段が表示手段に表示させた画像の一例を示す図である。
【図５】図５は、表示制御手段が表示手段に表示させた画像の一例を示す図である。
【図６】図６は、第１の実施形態にかかる複合機のフローチャートである。
【図７】図７は、原稿の種別検知にかかる処理の流れを示すフローチャートである。
【図８】図８は、第２の実施形態にかかる複合機の機能ブロック図である。
【図９】図９は、第２の実施形態における種別検知手段の処理の流れを示すフローチャートである。
【図１０】図１０は、格納手段が格納している格納画像データを例示する図である。
【図１１】図１１は、第３の実施形態にかかる複合機の機能ブロック図である。
【図１２】図１２は、第３の実施形態における加工手段の処理の流れを示すフローチャートである。
【図１３】図１３は、表示制御手段が表示手段に表示させた画像の一例を示す図である。
【図１４】図１４は、第４の実施形態にかかる複合機の機能ブロック図である。
【図１５】図１５は、第４の実施形態にかかる複合機のフローチャートである。
【発明を実施するための形態】
【００１１】
以下に添付図面を参照して、この発明にかかる画像処理装置及びプログラムの一実施の形態を詳細に説明する。なお、本明細書および図面において、実質的に同一の機能構成を有する構成要素については、同一の符号を付することにより重複説明を省略する。
【００１２】
［第１の実施形態］
第１の実施形態では、パスポートや健康保険証等の機密情報が記載された機密原稿を複写する際に、機密原稿の画像に加工を行うように制御する方法について説明する。尚、本発明の方法を実施する画像処理装置として、第１の実施形態では、複合機を例に挙げて説明する。ここで、複合機とは、プリンタ、コピー、スキャナ、またはファクシミリ等の複数の機能を一台の筐体において実現する画像処理装置をいう。なお、画像処理装置は、画像データを記録媒体上に形成する、上述の複合機や、ファクシミリ装置、プリンタ装置等の画像形成装置に限られず、ＰＣ（Ｐｅｒｓｏｎａｌ  Ｃｏｍｐｕｔｅｒ）、携帯電話機、ＰＤＡ（Ｐｅｒｓｏｎａｌ  Ｄｉｇｉｔａｌ  Ａｓｓｉｓｔａｎｔ）等の装置が含まれることは言うまでもない。
【００１３】
図１は、第１の実施形態にかかる複合機１００のハードウエア構成を示す図である。複合機１００のハードウエア構成は、コントローラ１１０、オペレーションパネル１２０、通信インターフェース１３０、スキャナエンジン１４０、プリンタエンジン１５０、ファクシミリコントロールユニット１６０、ＨＤＤ１７０（Ｈａｒｄ  Ｄｉｓｋ  Ｄｒｉｖｅ）及び記憶媒体読取装置１８０を含んで構成される。複合機１００において、上述した各ユニットは、バスライン１９０により接続されている。以下、各ユニットについて説明する。
【００１４】
コントローラ１１０は、ＣＰＵ１１１（Ｃｅｎｔｒａｌ  Ｐｒｏｃｅｓｓｉｎｇ  Ｕｎｉｔ）、ＲＡＭ１１２（Ｒａｎｄｏｍ  Ａｃｃｅｓｓ  Ｍｅｍｏｒｙ）及びＲＯＭ１１３（Ｒｅａｄ  Ｏｎｌｙ  Ｍｅｍｏｒｙ）を含んで構成される。
【００１５】
ＣＰＵ１１１は、図１に示す各ユニットの制御を行い、複合機１００全体の制御を行う。ここで、ＣＰＵ１１１は、ＲＯＭ１１３やＨＤＤ１７０から必要なプログラムを読み出し、読み出したプログラムに基づく演算処理を行うことにより各ユニットの制御を行う。
【００１６】
ＲＡＭ１１２は、ＣＰＵ１１１が読み出したプログラムや、通信インターフェース１３０やスキャナエンジン１４０等から入力された画像データを一時的に格納及び展開するための記憶媒体である。つまり、ＲＡＭ１１２は、ＣＰＵ１１１のワークエリアとして機能する。
【００１７】
ＲＯＭ１１３は、プログラム等の各種データを格納するための読み出し専用メモリである。ここで、ＲＯＭ１１３に格納されるデータとしては、例えば、複合機１００のブートプログラムや、ＯＳ（オペレーティングシステム）、各種アプリケーションプログラムを挙げることができる。
【００１８】
オペレーションパネル１２０は、コントローラ１１０によって制御され、複合機１００の操作者（ユーザ）から各機能の選択、実行指示等の各種設定情報をコントローラ１１０に入力するとともに、各機能の選択肢、進行状況等、コントローラ１１０から取得した情報の表示を行う。ここで、オペレーションパネル１２０は、ディスプレイ（ＬＣＴやＣＲＴ等）と指示入力ボタンを含めた形態であっても、タッチパネル方式によりディスプレイと指示入力ボタンとを一体化した形態であっても良い。
【００１９】
通信インターフェース１３０は、コントローラ１１０によって制御され、複合機１００の外部装置１３１との通信を行う。なお、通信インターフェース１３０は、イーサネット（登録商標）インターフェース、ＩＥＥＥ１２８４インターフェース、またはその他のインターフェースでも構成可能である。
【００２０】
スキャナエンジン１４０は、コントローラ１１０によって制御され、画像読取処理を実行する機能を有する。つまり、スキャナエンジン１４０は、スキャナ１４１により原稿を読み取り、原稿の画像データを取得するとともに、取得した画像データをＲＡＭ１１２やＨＤＤ１７０に入力する。
【００２１】
なお、原稿の画像データの入力は、上述したスキャナエンジン１４０による読み取り以外に、通信インターフェース１３０による外部装置１３１との通信で、外部装置１３１から行われてもよい。また、原稿の画像データの入力は、後述する記憶媒体１８１の記録情報の読み出しによって行われてもよい。
【００２２】
プリンタエンジン１５０は、コントローラ１１０によって制御され、プリンタ１５１による画像形成処理（印刷処理）を実行する。ここで、プリンタ１５１における画像形成方式は、電子写真方式、インクジェット方式等、各種の画像形成方式を採用可能である。
【００２３】
ファクシミリコントロールユニット１６０は、コントローラ１１０によって制御され、ファクシミリ１６１によるファクシミリ通信処理を実行する。
【００２４】
ＨＤＤ１７０は、コントローラ１１０の制御のもと、ハードディスクに対して各種データの書き込み、および読み出しを行う。なお、データの書き込み、読み出し対象となるハードディスクと、ハードディスクの読み取り装置とをまとめてＨＤＤ１７０として説明するが、読み取り装置だけを含む構成としてもよい。
【００２５】
記憶媒体読取装置１８０は、コントローラ１１０によって制御され、ＩＣカードやフロッピー（登録商標）ディスク等の記憶媒体１８１に記録された記録情報の読取処理を実行する。記憶媒体読取装置１８０は、コントローラ１１０からの指示により記憶媒体１８１へアクセスし、記憶媒体１８１から記録情報を読み出して、読み出した情報をコントローラ１１０へ出力する。
【００２６】
バスライン１９０は、これら各ユニットを電気的に接続している。なお、記憶媒体読取装置１８０には、アドレスバス、データバス等を利用することができる。
【００２７】
以上の構成を複合機１００が採用することにより、例えば、スキャナエンジン１４０を選択することによりスキャンジョブの発行が可能となる。また、プリンタエンジン１５０を選択することによりプリントジョブの発行が可能となる。さらに、スキャナエンジン１４０とプリンタエンジン１５０とを選択することで、コピージョブの発行が可能となる。また、スキャナエンジン１４０と、プリンタエンジン１５０と、ファクシミリコントロールユニット１６０とを選択することで、ファクシミリ受信ジョブ、およびファクシミリ送信ジョブの発行が可能となる。
【００２８】
次に、第１の実施形態にかかる複合機１００が有する機能について説明する。図２は、第１の実施形態にかかる複合機１００の機能ブロック図である。
【００２９】
図２に示すように、第１の実施形態にかかる複合機１００は、指示受付手段２１０、表示手段２２０、画像データ取得手段２３０、格納手段２４０、制御手段２５０、種別検知手段２６０、加工手段２７０及び出力手段２８０を備える。
【００３０】
指示受付手段２１０は、コピー等の各種処理の開始指示や画像データの加工の内容等、各種指示をユーザから受け付ける。そして、受け付けた指示を格納手段２４０に入力する。ここで、指示受付手段２１０は、オペレーションパネル１２０により実現されてもよいし、通信インターフェース１３０により実現されてもよい。なお、通信インターフェース１３０により指示受付手段２１０が実現される場合は、キーボードや、情報処理装置等の外部装置１３１から、ユーザからの指示を受け付ける。
【００３１】
表示手段２２０は、格納手段２４０に格納されている画像データや、制御手段２５０や加工手段２７０から取得した各種情報を表示する。ここで、表示手段２２０は、オペレーションパネル１２０により実現されてもよいし、通信インターフェース１３０により実現されてもよい。なお、通信インターフェース１３０により表示手段２２０が実現される場合は、通信インターフェース１３０を介して接続された外部装置１３１に各種情報が表示される。
【００３２】
ここで、指示受付手段２１０と表示手段２２０とは、同一のハードウエアにより実現されてもよい。つまり、オペレーションパネル１２０が指示受付手段２１０と表示手段２２０とを実現してもよいし、通信インターフェース１３０を介して接続する外部装置１３１が指示受付手段２１０と表示手段２２０とを実現してもよい。なお、指示受付手段２１０と表示手段２２０とが同一のハードウエアにて実現されることにより、操作手段として機能する。
【００３３】
画像データ取得手段２３０は、原稿の画像データを取得し、取得した画像データを格納手段２４０に入力する。ここで、画像データ取得手段２３０は、スキャナエンジン１４０により実現されてもよいし、通信インターフェース１３０により実現されてもよい。なお、スキャナエンジン１４０により画像データ取得手段２３０が実現される場合、複合機１００は、記録媒体である用紙等に形成された原稿を読み取ることにより得られた画像データを取得することができる。一方、通信インターフェース１３０により画像データ取得手段２３０が実現される場合、複合機１００は、情報処理装置等の外部装置１３１から画像データを取得することができる。
【００３４】
格納手段２４０は、指示受付手段２１０から取得した各種指示、画像データ取得手段２３０から取得した画像データ、後述する種別検知手段２６０が用いる種別検知用データ等の各種情報を格納する。ここで、格納手段２４０は、コントローラ１１０内のＲＡＭ１１２やＲＯＭ１１３又はＨＤＤ１７０により構成される。
【００３５】
制御手段２５０は、格納手段２４０が格納する各種データの読み出し（ロード）、削除（デリート）を行う他、指示受付手段２１０、表示手段２２０、画像データ取得手段２３０、種別検知手段２６０、加工手段２７０及び出力手段２８０の制御も行う。ここで制御手段２５０は、コントローラ１１０によって実現される。より具体的には、コントローラ１１０内のＣＰＵ１１１が、ＲＡＭ１１２に展開されたプログラムに基づく演算処理を実行することにより、制御手段２５０が実現される。なお、制御手段２５０の制御の詳細については後述する。
【００３６】
種別検知手段２６０は、画像データの取得元である原稿の種別を検知する。ここで、種別検知手段２６０は、コントローラ１１０によって実現される。より具体的には、コントローラ１１０内において、ＲＡＭ１１２に展開されたプログラムに基づく演算処理をＣＰＵ１１１が実行することにより、種別検知手段２６０が実現される。
【００３７】
種別検知手段２６０は、照合情報取得手段２６１、抽出手段２６２及び照合手段２６３を含んで構成される。
【００３８】
照合情報取得手段２６１は、原稿の種別検知のために用いる情報（以下、「種別検知用データ」という）を格納手段２４０から取得する。図３は、格納手段２４０が格納している種別検知用データを例示する図である。図３に示すように、種別検知用データは、（Ａ）文字コード、（Ｂ）文字コードと位置情報との組み合わせ、のいずれかであってよい。
【００３９】
まず、格納手段２４０に文字コードが予め格納されており、照合情報取得手段２６１が格納手段２４０から文字コードを取得した場合（図３の（Ａ）の場合）について説明する。ここで、照合情報取得手段２６１が取得する文字コードは、機密情報を含む機密原稿に記載されている文字のコードとする。つまり、格納手段２４０は、機密原稿に記載されている文字のコードを予め格納している。
【００４０】
機密情報は、個人情報や企業情報などの外部への漏洩を防止すべき情報である。例えば、機密情報には、写真、住所、氏名、年齢、電話番号、戸籍等の個人情報がある。また、機密情報が含まれる機密原稿には、パスポート、健康保険証、運転免許証、社員証、住民票、戸籍謄本、契約書等の各種証明書や、公共料金の請求書等がある。
【００４１】
照合情報取得手段２６１が、種別検知用データとして格納手段２４０から文字コードを取得した場合、抽出手段２６２は、画像データ取得手段２３０により取得された原稿の画像データに対し文字認識を行う。そして、文字認識の結果として、原稿の画像データから文字コードを抽出する。なお、文字認識は公知の技術であるため、詳細な説明は割愛する。
【００４２】
照合手段２６３は、照合情報取得手段２６１が取得した文字コードと、抽出手段２６２が画像データから抽出した文字コードとを照合する。照合の結果、一致した文字コードをキーとして格納手段２４０から原稿の種別を示す情報を取得し、原稿の種別を検知する。そして、照合手段２６３は、種別検知の結果である原稿識別ＩＤを制御手段２５０へ出力する。
【００４３】
ここで、原稿がパスポートである場合を例にして原稿の種別検知を説明する。パスポートには、『日本国』や『ＰＡＳＳＰＯＲＴ』といった定型の文字が存在する。したがって、パスポートの種別検知用データには、『日本国』や『ＰＡＳＳＰＯＲＴ』といった定型の文字が含まれている。照合手段２６３は、抽出手段２６２が画像データから抽出した文字コードと照合した結果、『日本国』や『ＰＡＳＳＰＯＲＴ』に対応する文字コードが含まれていると判断した場合、画像データの取得元となった原稿の種別がパスポートであると検知する。なお、誤検知を防止するために、複数の文字コードを利用して原稿の種別を判別してもよい。上述のパスポートの場合においては、『日本国』に対応する文字コード及び『ＰＡＳＳＰＯＲＴ』に対応する文字コードの両方が画像データに含まれている場合、画像データの取得元となった原稿の種別がパスポートであると検知する。
【００４４】
次に、格納手段２４０に文字コード及び位置情報が予め格納されており、照合情報取得手段２６１が、種別検知用データとして文字コード及び位置情報を取得した場合（図３の（Ｂ）の場合）について説明する。ここで、照合情報取得手段２６１が取得する文字コードは、機密情報を含む機密原稿に記載されている文字のコードとする。また、位置情報とは、機密原稿における文字の位置を示す情報であり、例えば、文字領域の始点及び終点の座標値とする。つまり、格納手段２４０は、機密原稿に記載されている文字のコードと位置情報とを関連づけて格納している。
【００４５】
照合情報取得手段２６１が、種別検知用データとして格納手段２４０から文字コードと位置情報とを取得した場合、抽出手段２６２は、画像データ取得手段２３０が取得した画像データに対し文字認識を行う。そして文字認識の結果として、原稿の画像データから文字コードを抽出する。また、文字コードを抽出した文字の位置情報も併せて抽出する。なお、文字認識及び文字の位置情報取得は公知の技術であるため、詳細な説明は割愛する。
【００４６】
照合手段２６３は、照合情報取得手段２６１が取得した文字コード及び位置情報と、抽出手段２６２が抽出した文字コード及び位置情報とを照合する。照合の結果、互いの位置情報の相違が所定の範囲内であり且つ文字コードが一致する場合、種別検知手段２６０は、画像データの取得元である原稿が、機密情報を含む機密原稿であると検知する。そして、照合手段２６３は、検知の結果である原稿識別ＩＤを制御手段２５０へ出力する。
【００４７】
ここで、原稿がパスポートである場合を例にして原稿の種別検知を説明する。パスポートには、『日本国』や『ＰＡＳＳＰＯＲＴ』といった定型の文字が所定の位置に存在する。したがって、パスポートの種別検知用データには、『日本国』や『ＰＡＳＳＰＯＲＴ』といった定型の文字と、その位置情報が含まれている。照合手段２６３は、抽出手段２６２が画像データから抽出した文字コード及び位置情報を、種別検知用データの文字コード及び位置情報と照合した結果、『日本国』や『ＰＡＳＳＰＯＲＴ』に対応する文字コードが所定の位置に含まれていると判断した場合、画像データの取得元となった原稿の種別がパスポートであると検知する。なお、誤検知を防止するために、複数の文字コードを利用して原稿の種別を判別してもよい。上述のパスポートの場合においては、『日本国』に対応する文字コード及び『ＰＡＳＳＰＯＲＴ』に対応する文字コードの両方が画像データの所定の位置に含まれている場合、画像データの取得元となった原稿の種別がパスポートであると検知する。
【００４８】
加工手段２７０は、コントローラ１１０によって実現される。つまり、コントローラ１１０内のＣＰＵ１１１が、ＲＡＭ１１２に展開されたプログラムに基づく演算処理を実行することにより、加工手段２７０が実現される。詳細には、ＣＰＵ１１１がＲＯＭ１１３やＨＤＤ１７０から加工手段２７０を実現するためのアプリケーションプログラムを読み出し、読みだしたアプリケーションプログラムをＲＡＭ１１２に展開する。そして、ＲＡＭ１１２に展開されたアプリケーションプログラムに基づく演算処理をＣＰＵ１１１が実行することにより、種別検知手段２６０が実現される。
【００４９】
制御手段２５０は、種別検知手段２６０による種別検知の結果、機密原稿であるとの検知結果を取得した場合に上述した加工手段２７０を起動させる。加工手段２７０は、画像データの加工の内容をユーザが指示するためのメニュー又は原稿の画像データを格納手段２４０から取得し、表示手段２２０に表示させる。なお、加工手段２７０は、原稿の画像データとともにメニューを表示手段２２０に表示させてもよい。したがって、制御手段２５０は、加工手段２７０を起動させることにより、加工の内容を指示するためのメニュー又は原稿の画像データを表示させる機能を果たすことになる。また、制御手段２５０は、加工手段２７０を起動させることにより、加工の内容をユーザが指示するためのメニューとともに、入力された原稿の画像データを表示させる機能も果たしうる。
【００５０】
加工手段２７０は、表示制御手段２７１及びデータ加工手段２７２を含んで構成される。
【００５１】
加工手段２７０が制御手段２５０により起動されると、加工手段２７０の表示制御手段２７１は、ユーザから加工の内容の指示を受け付けるためのメニューを表示手段２２０に表示させる。また、表示制御手段２７１は、原稿の画像データも表示手段２２０に表示させてもよい。
【００５２】
データ加工手段２７２は、指示受付手段２１０を介してユーザから入力され、格納手段２４０に格納されている加工の内容に関する指示を取得し、取得されたユーザの指示に基づいた加工を画像データに施す。そして、表示制御手段２７１は、加工が施された画像データを表示手段２２０に表示させる。また、データ加工手段２７２は、ユーザの指示に基づいた加工の履歴をＲＡＭ１１２などにスタックしている。データ加工手段２７２は、スタックした加工の履歴により、繰り返しの加工や、加工を取り消して加工前の状態へ戻すことが可能となっている。
【００５３】
なお、加工の対象となる画像データは、原稿の画像データであるが、既にデータ加工手段２７２により加工が施されている場合には、加工後の画像データに対してさらに加工を施す。かかる処理を行うことより、ユーザの指示に基づいた加工を逐次画像データに反映させることが可能となり、ユーザの使い勝手が向上する。
【００５４】
図４は、表示制御手段２７１が表示手段２２０に表示させた画像の一例であり、より具体的には、メニューとともに画像データを表示させた場合の一例である。
【００５５】
図４に示すとおり、表示手段２２０には、向かって左側に原稿の画像データが、向かって右側には、データ加工手段２７２が画像データの加工に用いるメニューであり、ユーザに指示させるためのアイコン３００が表示されている。図４の例では、上から順に９つのアイコンが並んでいるが、表示されているアイコンを大きく３種類に分類することができる。ここで、上から４つのアイコンを加工位置アイコン３１０、上から５番目から７番目のアイコンを加工種別アイコン３２０、下の２つのアイコンをサブアイコン３３０とする。
【００５６】
加工位置アイコン３１０は、出力を希望しない情報の位置をユーザが指示するためのアイコンとして機能する。つまり、情報を出力しないように加工を施す位置を指示するためのアイコンとも換言できる。ここで、加工位置アイコン３１０は、描画アイコン３１１、消去アイコン３１２、サイズ調整アイコン３１３、図形描画アイコン３１４を含んで構成される。
【００５７】
描画アイコン３１１は、画像データを加工するためのメインとなるアイコンである。描画アイコン３１１が選択されることにより、加工すべき領域（以下、加工領域という）をマーカーのように指定することが可能なモードへ加工手段２７０が移行する。
【００５８】
消去アイコン３１２は、描画アイコン３１１と機能が相対するモードへ加工手段２７０が移行するためのアイコンとして機能する。つまり、消去アイコン３１２が選択されることにより、加工領域の指定をキャンセルすることが可能なモードへ種別検知手段２６０が移行する。
【００５９】
サイズ調整アイコン３１３は、加工領域のサイズ調整を行うためのモードへ加工手段２７０が移行するためのアイコンとして機能する。ここで、サイズ調整アイコン３１３が指定されることにより、描画アイコン３１１や、サイズ調整アイコン３１３に基づいて指定された加工領域のサイズを変更することが可能となる。
【００６０】
図形描画アイコン３１４は、デフォルトとして予め設定された図形（例えば矩形、丸型など）に基づいて加工領域を指定するためのアイコンとして機能する。つまり、図形描画アイコン３１４が選択されることにより、予め設定された図形により加工領域を指定することが可能なモードへ加工手段２７０が移行する。
【００６１】
ここで、オペレーションパネル１２０等の指示受付手段２１０を介してユーザが画像データの一点を指定した場合、表示制御手段２７１は、予め設定された図形、例えば所定の大きさを有する矩形を、指定された一点を中心として表示手段２２０に表示させる。そして、表示された図形をユーザの指示に従って移動させることにより、加工領域の指定を可能とする。なお、移動に際しては、図形の各座標をユーザの指示に応じて変化させればよい。
【００６２】
加工種別アイコン３２０は、加工位置アイコン３１０により指定された加工領域の加工方法をユーザに選択させるためのアイコンとして機能する。加工種別アイコン３２０は、色指定アイコン３２１、３２２、モザイク指定アイコン３２３を含んで構成される。なお、図４の例では、色指定アイコン３２１、３２２として、黒、白を夫々指定可能な色としている。
【００６３】
色指定アイコン３２１、３２２は、加工位置アイコン３１０により指定された加工領域の色を指定するためのアイコンとして機能する。ユーザにより加工領域が指定された状態で、色指定アイコン３２１又は色指定アイコン３２２が指定されることにより、加工領域の色調整を行うためのモードへ種別検知手段２６０が移行する。なお、本実施形態においては色指定アイコン毎に色が設定されているが、色の指定については、色指定アイコンが指定された後に、ユーザに色を指定させてもよい。
【００６４】
モザイク指定アイコン３２３は、加工位置アイコン３１０により指定された加工領域をモザイク処理するためのアイコンとして機能する。ユーザにより加工領域が指定された状態で、モザイク指定アイコン３２３が指定されることにより、加工領域がモザイク表示される。
【００６５】
サブアイコン３３０は、加工手段２７０の全体の制御を行うためのアイコンである。サブアイコン３３０は、取消アイコン３１８、プリントアイコン３１９を含んで構成される。取消アイコン３１８は、加工位置アイコン３１０、加工種別アイコン３２０により指定された加工を取り消すためのアイコンとして機能する。ユーザにより加工が指示された状態で、取消アイコン３１８が指定されることにより、その指示された加工が取り消される。具体的には、データ加工手段２７２がスタックした加工の履歴を参照して加工前の状態に戻される。プリントアイコン３１９は、画像を出力するためのアイコンとして機能する。プリントアイコン３１９が指定されることにより、画像の出力が行われる。例えば加工位置アイコン３１０、加工種別アイコン３２０により加工が指示されている場合には、プリントアイコン３１９が指定されることで、指示された加工が施された画像が出力されることとなる。
【００６６】
なお、図４の例では、画像データ取得手段２３０が取得した画像データと、加工の内容を指示するためのメニューとを表示手段２２０に表示させた画像を示した。さらに、表示手段２２０に表示する画像には、指示受付手段２１０が受け付けた加工の内容が反映された画像データを併せて表示してもよい。
【００６７】
図５は、表示制御手段２７１が表示手段２２０に表示させた画像の一例であり、より具体的には、画像データ取得手段２３０が取得した画像データと、加工の内容を指示するためのメニューと、指示受付手段２１０が受け付けた加工の内容が反映された画像データとを併せて表示手段２２０に表示させた画像の一例である。図５に示すように、画像データ取得手段２３０が取得した画像データと、指示受付手段２１０が受け付けた加工の内容が反映された画像データとを併せて表示手段２２０に表示させることで、機密原稿の画像データと、機密原稿を加工した後の画像データとの差を、ユーザに把握させることが容易となる。
【００６８】
出力手段２８０は、制御手段２５０により加工手段２７０が起動された場合には、画像データ取得手段２３０から取得した画像データを、加工手段２７０から取得した情報に基づいて加工した画像データを出力する。一方、制御手段２５０により加工手段２７０が起動されなかった場合には、画像データ取得手段２３０から取得した画像データをそのまま出力する。ここで、出力手段２８０は、通信インターフェース１３０、プリンタエンジン１５０、ファクシミリコントロールユニット１６０のいずれによって実現されてもよい。
【００６９】
次に、複合機１００における処理の流れについて説明する。図６は、第１の実施形態にかかる複合機１００のフローチャートであり、複合機１００における処理の流れを示す。
【００７０】
図６に示すように、処理が開始されると、複合機１００は、原稿の画像データを画像データ取得手段２３０により取得する（Ｓ１０１）。なお、Ｓ１０１において、取得された画像データは、ＲＡＭ１１２又はＨＤＤ１７０により実現される格納手段２４０に格納される。
【００７１】
次いで、複合機１００は、格納手段２４０に格納された画像データの取得元である原稿の種別を種別検知手段２６０により検知する（Ｓ１０２）。Ｓ１０２において、種別検知手段２６０により検知された検知結果は、制御手段２５０に出力される。
【００７２】
図７は、原稿の種別検知にかかる処理の流れを示すフローチャートである。図７に示すように、種別検知手段２６０では、種別検知用データを照合情報取得手段２６１が格納手段２４０から取得する（Ｓ１０２１）。次いで、抽出手段２６２は、画像データ取得手段２３０が取得した画像データの認識を行って（Ｓ１０２２）、文字コードやその位置情報の抽出を行う（Ｓ１０２３）。次いで、照合手段２６３が抽出した情報と取得した種別検知用データとを照合する（Ｓ１０２４）。照合手段２６３は、抽出した文字コードやその位置情報と、種別検知用データに含まれる文字コードやその位置情報とが一致した原稿識別ＩＤを検知結果として出力する（Ｓ１０２５）。
【００７３】
図６に示すように、Ｓ１０２に次いで、制御手段２５０は、入力された検知結果に基づいて、加工手段２７０を起動すべきか否かを判定する（Ｓ１０３）。具体的には、種別検知手段２６０による検知の結果が加工手段２７０による加工対象となる所定の種別の原稿である、すなわち、原稿の種別が機密原稿であるか否かを判定する。
【００７４】
Ｓ１０３において、原稿の種別が機密原稿であり、加工手段２７０を起動すべきであると制御手段２５０が判定した場合（ＹＥＳ）、処理はＳ１０４へと移行する。一方、原稿の種別が機密原稿以外であり、起動する必要がないと判定した場合（ＮＯ）、処理はＳ１０８へと移行する。
【００７５】
Ｓ１０４では、制御手段２５０は、格納手段２４０から加工手段２７０を実現させるためのアプリケーションプログラムを読み出し、加工手段２７０を起動させる。この起動により、加工手段２７０は、表示手段２２０に加工の内容を指示するための加工メニューを表示させる（Ｓ１０５）。
【００７６】
次いで、指示受付手段２１０は、加工メニューに基づいて入力された、加工の内容に関するユーザの指示を格納手段２４０に入力する（Ｓ１０６）。次いで、加工手段２７０は、格納手段２４０に格納された指示に応じた加工を、画像データ取得手段２３０が取得した画像データに対して施すことにより加工後の画像データ（出力画像データ）を生成し（Ｓ１０７）、生成した出力画像データを格納手段２４０に格納する。
【００７７】
Ｓ１０８では、制御手段２５０は、画像データ取得手段２３０が画像データを取得する際などに、前もって指示受付手段２１０を介して入力されたユーザの指示に応じた処理を行うことにより出力画像データを生成し（Ｓ１０８）、生成した出力画像データを格納手段２４０に格納する。なお、Ｓ１０８におけるユーザの指示に応じた処理とは、階調補正や編倍処理等の一般的な画像処理であってよい。
【００７８】
次いで、出力手段２８０は、指示受付手段２１０を介して入力されたユーザの指示に応じた出力形式により、格納手段２４０に格納された出力画像データを出力する（Ｓ１０９）。なお、ユーザの指示に応じた出力形式には、プリンタエンジン１５０、ファクシミリコントロールユニット１６０を制御することによる出力のほか、ＨＤＤ１７０への出力も含まれる。
【００７９】
以上説明したように、第１の実施形態では、原稿に記載されている文字に応じて制御手段２５０が加工手段２７０を起動させるため、機密情報を含む機密原稿などの所定の原稿にかかる画像データを出力する際に、ユーザが意図した加工を行うことが可能となる。また、機密情報を含む機密原稿の場合、ユーザが意図した加工を行うためのアプリケーションプログラムが制御手段２５０によって起動されるため、ユーザがそのアプリケーションプログラムを起動する手間を不要とすることができる。
【００８０】
なお、記憶媒体読取装置１８０が読み取り対象とする記憶媒体１８１は特に限定されるものではなく、ＳＤカードの他、コンパクトフラッシュ（登録商標）メモリーカード、スマートメディア（登録商標）、メモリースティック（登録商標）、ピクチャーカードなどのメモリ系の記憶媒体、その他如何なる着脱可能な記憶媒体を、単独あるいは組み合わせて採用することができる。
【００８１】
また、上記各機能は、アセンブラ、Ｃ、Ｃ＋＋、Ｃ＃、Ｊａｖａ（登録商標）、などのレガシープログラミング言語やオブジェクト指向プログラミング言語などで記述されたコンピュータ実行可能なプログラムにより実現でき、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯなど、装置が読み取り可能な記録媒体に格納して頒布することができる。また、上述したプログラムは、通信インターフェース１３０を介して接続する外部装置１３１やインターネットなどから頒布されるものであってもよい。
【００８２】
［第２の実施形態］
次に、第２の実施形態について説明する。第２の実施形態は、原稿の種別検知に用いる情報として原稿のレイアウト情報を用いる点で、前述した第１の実施形態における種別検知に用いる情報と相違する。
【００８３】
図８は、第２の実施形態にかかる複合機１００ａの機能ブロック図である。なお、本実施形態にかかる複合機１００ａと、第１の実施形態にかかる複合機１００とは同一のハードウエア構成を採用するため、その説明は割愛する。
【００８４】
図８に示すように、第２の実施形態にかかる複合機１００ａは、指示受付手段２１０、表示手段２２０、画像データ取得手段２３０、格納手段２４０、制御手段２５０、種別検知手段３６０、加工手段２７０及び出力手段２８０を備える。ここで、種別検知手段３６０を除く構成要素は、第１の実施形態と実施的に同一の機能構成であるため、夫々についての詳細な説明は省略する。
【００８５】
種別検知手段３６０は、画像データの取得元である原稿の種別を検知する。種別検知手段３６０は、コントローラ１１０によって実現される。より具体的には、コントローラ１１０内において、ＲＡＭ１１２に展開されたプログラムに基づく演算処理をＣＰＵ１１１が実行することにより、種別検知手段３６０が実現される。
【００８６】
図９は、第２の実施形態における種別検知手段３６０の処理の流れを示すフローチャートである。以下、図８の説明と合わせて、図９を参照しながら種別検知手段３６０の処理動作を説明する。
【００８７】
図８に示すとおり、種別検知手段３６０は、照合情報取得手段３６１、対応点検出手段３６２、変換係数算出手段３６３、相違度算出手段３６４、検知手段３６５を含んで構成される。
【００８８】
照合情報取得手段３６１は、原稿の種別検知に用いる情報として、格納手段２４０から格納画像データを取得する（図９のＳ３０１）。ここで格納画像データとは、機密情報を含む機密原稿の画像データであり、予め格納手段２４０に格納されている。機密情報及び機密原稿については、第１の実施形態と同様であるため、その説明は省略する。
【００８９】
図１０は、格納手段２４０が格納している格納画像データＤ１を例示する図である。図１０に示すように、格納手段２４０には、機密原稿の一つである社員文書の画像が格納画像データＤ１として格納されている。
【００９０】
対応点検出手段３６２は、照合情報取得手段３６１により取得された格納画像データと、画像データ取得手段２３０により取得された画像データとの一致点を検出する（図９のＳ３０２）。なお、照合情報取得手段３６１により取得された格納画像データに複数の画像が含まれる場合は、格納画像データに含まれる各画像と、画像データ取得手段２３０により取得された画像データの画像との一致点を順次検出する。
【００９１】
対応点の検出方法としては、例えば、画像データに含まれる罫線の位置、原稿固有の文字の印刷位置などの座標値を比較することにより対応する点を求めればよい。ここで比較する画像データが異なる原稿から取得された画像データである場合、互いの画像データが持つべき印刷文字などが検出できないか、誤って検出されることになる。
【００９２】
変換係数算出手段３６３は、変換係数の算出を行う（図９のＳ３０３）。ここで変換係数とは、一方の画像データ上の座標値を変換することにより他方の画像データの座標値として求められる変換式を構成する係数のことであり、例えば、アフィン変換の係数がある。
【００９３】
アフィン変換を例として変換係数の算出を説明する。一方の画像データ上の点を（ｘ，ｙ）、他方の画像データ上で対応する点を（Ｘ、Ｙ）とおけば、アフィン変換の変換式により、
【数１】
2011061744.tif 000003
と書ける。ここで、対応する点の組（ｘ，ｙ）と（Ｘ，Ｙ）の組を６組求めれば、６次１次連立方程式となり、変換係数ａ〜ｆを求めることができる。
【００９４】
相違度算出手段３６４は、格納画像データと、画像データ取得手段２３０により取得された画像データとの相違度を算出する（図９のＳ３０４）。相違度は変換係数算出手段３６３にて算出された変換係数から求めるが、ここではアフィン変換の係数から相違度を求める例について説明する。
【００９５】
画像データ間の相違度は、画像データ間の『ずれ』、『伸縮』、『回転』を定量化し、これらの和として求めることができる。それぞれの特徴量を
ずれ：ｅ２＋ｆ２
伸縮：｜ａｄ−ｂｃ｜
回転：ｂ２＋ｃ２
と定義し、これらに適当な重みをつけて和をとることにより、相違度を算出する。
【００９６】
検知手段３６５は、上述した処理を格納画像データに含まれる各画像と画像データ取得手段２３０により取得された画像との間で行い、格納画像データに含まれる画像の中で、最も相違度が小さい画像と対応する原稿の種別を、原稿の種別として検知する（図９のＳ３０５）。
【００９７】
なお、格納画像データに含まれる各画像と画像データ取得手段２３０により取得された画像とのレイアウトが一致しない場合は、対応する点が発見できないか、誤って発見される。対応する点が発見できない場合は、相違度を算出することが出来ず、一方、誤って発見された場合には、変換係数が通常から大きく離れた値を示す傾向がある。したがって、所定の閾値より小さい相違度が算出されない場合、画像データ取得手段２３０により取得された画像データは、格納画像データ、つまり機密原稿の画像データではないと検知する。
【００９８】
以上説明したように、第２の実施形態では、種別検知手段３６０が画像データのレイアウトに基づいて画像データの取得元である原稿の種別を検知することができるため、原稿の画像データを予め格納手段２４０に格納しておくことで、原稿の種別を検知することができる。また、種別検知の結果に応じて制御手段２５０が加工手段２７０を起動させるため、機密情報を含む機密原稿などの所定の原稿にかかる画像データを出力する際に、ユーザが意図した加工を行うことが可能となる。また、機密情報を含む機密原稿の場合、ユーザが意図した加工を行うためのアプリケーションプログラムが制御手段２５０によって起動されるため、ユーザがそのアプリケーションプログラムを起動する手間を不要とすることができる。
【００９９】
なお、第１の実施形態における種別検知手段２６０と、本実施形態における種別検知手段３６０との処理を同時に実現させてもよい。つまり、文字コードと、画像データのレイアウト情報とに基づいて原稿の種別を検知する構成を採用してもよい。この場合、文字コードと画像データのレイアウト情報との両面から原稿の種別を検知するため、より高精度に原稿の種別を検知することができるとともに、取得された画像データが縮小、または拡大された画像データであっても、より確実に原稿の種別を検知することが可能となる。
【０１００】
［第３の実施形態］
次に、第３の実施形態について説明する。第３の実施形態は、加工手段が表示手段に表示させるメニューが他の実施形態と相違する。すなわち、第３の実施形態は、他の実施形態と異なるメニューに基づいた加工を実現するため、加工手段の構成が他の実施形態と相違する。
【０１０１】
図１１は、第３の実施形態にかかる複合機１００ｂの機能ブロック図である。なお、本実施形態にかかる複合機１００ｂと、第１、２の実施形態にかかる複合機１００、１００ａとは同一のハードウエア構成を採用するため、その説明は割愛する。
【０１０２】
図１１に示すように、第３の実施形態にかかる複合機１００ｂは、指示受付手段２１０、表示手段２２０、画像データ取得手段２３０、格納手段２４０、制御手段２５０、種別検知手段２６０、加工手段４７０及び出力手段２８０を備える。ここで、加工手段４７０を除く構成要素は、第１の実施形態と実施的に同一の機能構成であるため、夫々についての詳細な説明は省略する。
【０１０３】
加工手段４７０は、コントローラ１１０によって実現される。具体的には、コントローラ１１０内のＣＰＵ１１１が、ＲＡＭ１１２に展開されたプログラムに基づく演算処理を実行することにより、加工手段４７０が実現される。より詳細には、ＣＰＵ１１１がＲＯＭ１１３やＨＤＤ１７０から加工手段４７０を実現するためのアプリケーションプログラムを読み出し、読みだしたアプリケーションプログラムをＲＡＭ１１２に展開する。そして、ＲＡＭ１１２に展開されたアプリケーションプログラムに基づく演算処理をＣＰＵ１１１が実行することにより、加工手段４７０が実現される。
【０１０４】
加工手段４７０は、制御手段２５０により起動され、そして、各種処理を実行する。制御手段２５０は、種別検知手段２６０から画像データの取得元である原稿が機密原稿であるとの検知結果を取得した場合に、加工手段４７０を起動させる。
【０１０５】
加工手段４７０は、画像データの加工の内容をユーザが指示するためのメニューを表示手段２２０に表示させる。したがって、制御手段２５０は、加工手段４７０を起動させることにより加工の内容をユーザが指示するためのメニューを表示させるための機能を果たすことになる。
【０１０６】
また、加工手段４７０は、メニューとともに、画像データ取得手段２３０が取得した原稿の画像データを表示手段２２０に表示させてもよい。かかる場合、制御手段２５０は、加工手段４７０を起動させることにより、メニューとともに、原稿の画像データを表示させるための機能を果たすことになる。なお、メニューとともに画像データを表示させることにより、ユーザの指示に基づいた加工が施された画像データを逐次確認することが可能となり、ユーザビリティを向上させることができる。
【０１０７】
図１２は、第３の実施形態における加工手段４７０の処理の流れを示すフローチャートである。以下、図１１の説明と合わせて、図１２を参照しながら加工手段４７０の処理動作を説明する。
【０１０８】
図１１に示すとおり、加工手段４７０は、領域識別手段４７１と、表示制御手段４７２と、データ加工手段４７３とを含んで構成される。
【０１０９】
領域識別手段４７１は、原稿の画像データを格納手段２４０から取得し（図１２のＳ４０１）、取得された画像データに含まれる、文字領域、写真領域、表領域といった各領域を識別する（図１２のＳ４０２）。ここで領域識別手段４７１は、画像データから同色、または同系色の画素連結成分を取得し、取得された連結成分の外接矩形の並びや大きさ等の情報を利用することにより、文字領域や写真領域等の領域を識別する。そして、領域識別手段４７１は、領域の位置と、種別を含む領域識別結果を格納手段２４０に格納する。なお、領域識別の手法は従来提案されている種々の手法を用いることが可能であり、例えば、特開平３−００９４８９号公報や、特開平７−３２２０６１号公報にて提案されている手法を用いることができる。
【０１１０】
表示制御手段４７２は、画像データの加工の内容をユーザに指示させるために、表示手段２２０に原稿の画像データを表示させる（図１２のＳ４０３）。なお、画像データとともに加工の内容を指示するためのメニューを表示手段２２０に表示させてもよい。
【０１１１】
図１３は、表示制御手段４７２が表示手段２２０に表示させた画像の一例であり、より具体的には、メニューとともに画像データを表示させた場合の一例である。
【０１１２】
図１３に示すとおり、表示手段２２０には、向かって左側に原稿の画像データが、右側にはメニューとして、画像データの加工に用いる情報を入力させるためのアイコン３００ａが表示されている。図１３の例では、第１の実施形態のアイコン３００に含まれていない領域指定アイコン３１５を含む、１０個のアイコンがアイコン３００ａとして表示されている。
【０１１３】
領域指定アイコン３１５は、領域識別手段４７１により識別された領域を、加工領域として指定することが可能なモードへ移行するためのアイコンとして機能する。つまり、領域指定アイコン３１５が指定されることにより、領域識別手段４７１が格納手段２４０に格納した領域識別結果を読み出すことで、予め識別された文字領域、写真領域、表領域などの各領域を加工領域として指定することが可能となる。識別された領域の中から加工領域を指定する際の操作については、識別された領域をマスキングするなどして選択可能に表示し、ユーザからの選択操作を受け付ければよい。これにより、ユーザが加工領域を指定する際の操作を容易にすることができる。
【０１１４】
データ加工手段４７３は、上述したメニューによるユーザ指示に基づいた加工を画像データに施すことにより、加工後の画像データ（出力画像データ）を生成する（図１２のＳ４０４）。
【０１１５】
［第４の実施形態］
次に、第４の実施形態について説明する。第４の実施形態は、情報漏洩を防止するための動作モード（第１のモード）と、その動作モードとは異なる動作モード（第２のモード）とが切替可能であり、第１のモードである場合にのみ、加工手段が起動可能であることが他の実施形態と相違する。
【０１１６】
図１４は、第４の実施形態にかかる複合機１００ｃの機能ブロック図である。なお、本実施形態にかかる複合機１００ｃと、第１の実施形態にかかる複合機１００とは同一のハードウエア構成を採用するため、その説明は割愛する。
【０１１７】
図１４に示すように、第４の実施形態にかかる複合機１００ｃは、指示受付手段２１０、表示手段２２０、画像データ取得手段２３０、格納手段２４０、種別検知手段２６０、加工手段２７０、出力手段２８０、制御手段５５０及びモード切替手段５９０を備える。ここで、制御手段５５０及びモード切替手段５９０を除く構成要素は、第１の実施形態と実施的に同一の機能構成であるため、夫々についての詳細な説明は省略する。
【０１１８】
制御手段５５０は、格納手段２４０が格納する各種データの読み出し（ロード）、削除（デリート）を行う他、指示受付手段２１０、表示手段２２０、画像データ取得手段２３０、種別検知手段２６０、加工手段２７０、出力手段２８０及びモード切替手段５９０の制御も行う。ここで制御手段５５０は、コントローラ１１０によって実現される。より具体的には、コントローラ１１０内のＣＰＵ１１１が、ＲＡＭ１１２に展開されたプログラムに基づく演算処理を実行することにより、制御手段５５０が実現される。なお、制御手段５５０の制御は、モード切替手段５９０により切り替えられた動作モードに応じて制御を行うこと以外については、他の実施形態における制御手段２５０と同様の制御を行う。
【０１１９】
モード切替手段５９０は、複合機１００ｃの動作モードを、前述した第１のモード又は第２のモードのいずれかのモードに切り替える。具体的には、モード切替手段５９０は、ユーザからモードの切り替え指示を受け付けるためのメニューを表示手段２２０に表示させ、指示受付手段２１０を介して入力される指示に基づいた動作モードへ切り替える。例えば、第１のモードと第２のモードを選択するためのアイコンを表示手段２２０に表示させ、指示受付手段２１０を介した選択指示をユーザから受け付けることで、動作モードの切り替えを行う。なお、選択指示をユーザから受け付ける際には、管理パスワードを要求し、その管理パスワードとマッチする入力があった場合にのみ、モードの切り替えを有効としてもよい。この場合は、管理者などの特定の人のみがモードの切り替えを行うことが可能となる。
【０１２０】
モード切替手段５９０は、コントローラ１１０によって実現される。より具体的には、コントローラ１１０内において、ＲＡＭ１１２に展開されたプログラムに基づく演算処理をＣＰＵ１１１が実行することにより、モード切替手段５９０が実現される。
【０１２１】
図１５は、第４の実施形態にかかる複合機１００ｃのフローチャートであり、複合機１００ｃにおける処理の流れを示す。図１５に示すように、複合機１００ｃにおける制御手段５５０は、Ｓ１０１に次ぐＳ１０１ａにおいて、モード切替手段５９０により切り替えが行われた動作モードが第１のモードであるか否かを判定する。
【０１２２】
動作モードが第１のモードである場合（Ｓ１０１ａ：ＹＥＳ）、制御手段５５０は、Ｓ１０２へ処理を進める。動作モードが第１のモードでない場合、すなわち第２のモードである場合（Ｓ１０１ａ：ＮＯ）、制御手段５５０は、Ｓ１０８へ処理を進める。なお、第２のモードが紙幣等の不正コピーを防止するための禁止処理を行うモードである場合には、Ｓ１０８において、禁止処理を行う原稿であるかをチェック（例えば紙幣検知）し、禁止処理を行う原稿である場合には禁止処理（例えば、出力しない又は真っ黒にする等）を行ってもよい。
【０１２３】
したがって、複合機１００ｃでは、情報漏洩を防止するための第１のモードである場合にのみ、機密原稿などの所定の原稿に対してユーザが意図した加工を行うための加工手段２７０を起動させることが可能となる。このため、機密原稿であっても加工が不要な場合には第２のモードにすることで、意図せずに加工手段２７０が起動することを防止できる。
【０１２４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１２５】
例えば、上記実施の形態では、本発明の画像処理装置を、コピー機能、プリンタ機能、スキャナ機能およびファクシミリ機能のうち少なくとも２つの機能を有する複合機に適用した例を挙げて説明した。しかしながら、本発明の画像処理装置は、複写機、プリンタ、スキャナ装置、ファクシミリ装置等の画像処理を行って出力（画像形成を含む）する装置であれば、いずれにも適用することができる。
【符号の説明】
【０１２６】
１００、１００ａ、１００ｂ、１００ｃ  複合機
１１０  コントローラ
１１１  ＣＰＵ
１１２  ＲＡＭ
１１３  ＲＯＭ
１２０  オペレーションパネル
１３０  通信インターフェース
１３１  外部装置
１４０  スキャナエンジン
１４１  スキャナ
１５０  プリンタエンジン
１５１  プリンタ
１６０  ファクシミリコントロールユニット
１６１  ファクシミリ
１７０  ＨＤＤ
１８０  記憶媒体読取装置
１８１  記憶媒体
１９０  バスライン
２１０  指示受付手段
２２０  表示手段
２３０  画像データ取得手段
２４０  格納手段
２５０、５５０  制御手段
２６０、３６０  種別検知手段
２７０、４７０  加工手段
２８０  出力手段
５９０  モード切替手段
【先行技術文献】
【特許文献】
【０１２７】
【特許文献１】特開２００４−２７４０９２号公報
【特許文献２】特開２００７−１２４１６９号公報
【図１】
2011061744.tif 000004
【図２】
2011061744.tif 000005
【図３】
2011061744.tif 000006
【図４】
2011061744.tif 000007
【図５】
2011061744.tif 000008
【図６】
2011061744.tif 000009
【図７】
2011061744.tif 000010
【図８】
2011061744.tif 000011
【図９】
2011061744.tif 000012
【図１０】
2011061744.tif 000013
【図１１】
2011061744.tif 000014
【図１２】
2011061744.tif 000015
【図１３】
2011061744.tif 000016
【図１４】
2011061744.tif 000017
【図１５】
2011061744.tif 000018